(57)【要約】      （修正有）【課題】携帯性に優れ、かつ、使い勝手のよい五徳ユニットを提供する。【解決手段】五徳ユニット１は、複数の風防板２を連結することで組み立てられ、各風防板２は、左右方向の一方の端部側に設けられる差込片２５１と、他方の端部側に設けられ、差込片が差込可能に形成される差込孔２６１と、差込孔の下方に設けられる係止溝２６２と、を備える。更に、差込片の下端側の領域は、差込片の下端から上方に延びる溝を介して風防板の端部から部分的に離間しており、差込片の下端側には、係止溝に係止するように、差込片の溝縁から溝内に突出する突起部２５２が設けられている。【選択図】図３
0003200436.tif 000002
【実用新案登録請求の範囲】
【請求項１】
複数の風防板を連結することで組み立てられる五徳ユニットであって、
前記各風防板は、
左右方向の一方の端部側に設けられる差込片と、
左右方向の他方の端部側に設けられ、前記差込片が差込可能に形成される差込孔と、
前記差込孔の下方に設けられる係止溝と、
を備え、
前記差込片の下端側の領域は、前記差込片の下端から上方に延びる溝を介して、前記一方の端部と部分的に離間しており、
前記差込片の下端側には、前記係止溝に係止するように、前記差込片の溝縁から溝内に突出する突起部が設けられている、
五徳ユニット。
【請求項２】
前記五徳ユニットは、前記各風防板にそれぞれ取り付けられ、前記各風防板の上下方向の長さをそれぞれ延長する複数の風防延長板を更に備え、
前記各風防延長板は、下端部に並列に設けられる一対の取付片であって、前記各風防板の上端部を挟持可能に面直方向に離間する一対の取付片を有する、
請求項１に記載の五徳ユニット。
【請求項３】
前記各風防延長板は、左右方向の一方の端部側に設けられる差込片と、左右方向の他方の端部側に設けられ、前記差込片が差込可能に形成される差込孔と、前記差込孔の下方に設けられる係止溝と、を備え、
前記各風防延長板における前記差込片の下端側の領域は、前記差込片の下端から上方に延びる溝を介して、前記一方の端部と部分的に離間しており、
前記各風防延長板の前記差込片の下端側には、前記係止溝に係止するように、前記差込片の溝縁から溝内に突出する突起部が設けられている、
請求項２に記載の五徳ユニット。
【請求項４】
前記各風防板は、組み立てた状態の前記五徳ユニットの内部空間側に開口するスリットを更に備える、
請求項１から３のいずれか１項に記載の五徳ユニット。
【請求項５】
前記各風防板の前記スリットは、所定のアルコールストーブのフリンジが係止可能に形成され、かつ、当該アルコールストーブのフリンジが前記スリットに係止したときに、前記アルコールストーブの底部が地面から離間するような高さに配置される、
請求項４に記載の五徳ユニット。
【請求項６】
前記五徳ユニットは、前記各風防板で形成される内部空間に取り付け可能な中板を更に備え、
前記中板は、面直方向に貫通する１又は複数の貫通孔と、前記各風防板の前記スリットにそれぞれ挿入可能に各端辺からそれぞれ突出する複数の突起部と、を備える、
請求項４又は５に記載の五徳ユニット。
【請求項７】
前記中板は、所定のアルコールストーブの下端部を挿入可能な挿入孔を更に備え、
前記挿入孔は、当該挿入孔の縁に前記アルコールストーブのフランジが係止するように形成される、
請求項６に記載の五徳ユニット。
【請求項８】
前記中板は、複数に分離可能に構成される、
請求項６又は７に記載の五徳ユニット。
【請求項９】
請求項１から８のいずれか１項に記載の五徳ユニットと、
携帯用テーブルと、
を備えるテーブルシステムであって、
前記各風防板は、下端部の一領域から下方に延びる脚部を備え、
前記携帯用テーブルは、互いに向かい合うように折り畳み可能に連結され、展開されたときに天板を形成する一対の天板片と、前記天板を折り畳んだときに前記各天板片の裏面側に収納されるように、前記天板の裏面に折り畳み可能に連結された４つの支持脚と、を備え、
前記天板の表面には、前記各風防板の前記脚部をそれぞれ挿入可能に構成された複数のスリットが設けられる、
テーブルシステム。
【請求項１０】
前記携帯用テーブルは、互いに離間して設けられる一対の挿入片を有する天板延長板を更に備え、
前記一対の天板片それぞれの側壁には、前記一対の天板片の連結部を挟むように、前記天板延長板の各挿入片が挿入可能な挿入孔が設けられる、
請求項９に記載のテーブルシステム。
【考案の詳細な説明】
【技術分野】
【０００１】
本考案は、五徳ユニット及びテーブルシステムに関する。
【背景技術】
【０００２】
登山、キャンプ等のアウトドアでは、湯を沸かしたり、料理をしたりする際に、アルコールストーブ等の携帯用コンロが用いられる場合がある。また、携帯用コンロを用いずに、手近なものを燃やして焚き火を行う場合がある。このような場合に、調理器具を支持する役割及び風で火が消えてしまうのを防止する役割を担う道具として、風防機能を備えた五徳が提案されている。
【０００３】
例えば、特許文献１では、３枚の金属板で構成される五徳が提案されている。具体的には、各金属板は、左右方向の一方の端部に突起部分を有し、他方の端部付近に長角の溝を有している。そのため、隣接する金属板の間において一方の金属板の突起部分を他方の金属板の長角の溝を差し込むことで、風防機能を備えた五徳を形成することができる。また、五徳として使用しないときには、各金属板に解体して手軽に持ち運ぶことができる。
【先行技術文献】
【特許文献】
【０００４】
【特許文献１】実用新案登録第３１５１０８１号公報
【考案の概要】
【考案が解決しようとする課題】
【０００５】
しかしながら、特許文献１で例示される五徳では、隣接する金属板を連結するのに、一方の金属板の突起部分を他方の金属板の長角の溝に単に差し込んでいるに過ぎない。そのため、調理器具を載せた際等に大きな力が五徳に作用してしまうと、突起部分が長角の溝から簡単に外れてしまい、使用中の五徳が自然と解体されてしまう可能性があった。したがって、アウトドアで利用されるこのような従来の五徳は、使い勝手が悪かった。
【０００６】
本考案は、一側面では、このような問題点を鑑みてなされたものであり、携帯性に優れ、かつ、使い勝手のよい五徳を提供することを目的とする。
【課題を解決するための手段】
【０００７】
本考案は、上述した課題を解決するために、以下の構成を採用する。
【０００８】
すなわち、本考案の一側面に係る五徳ユニットは、複数の風防板を連結することで組み立てられる五徳ユニットである。そして、前記各風防板は、左右方向の一方の端部側に設けられる差込片と、左右方向の他方の端部側に設けられ、前記差込片が差込可能に形成される差込孔と、前記差込孔の下方に設けられる係止溝と、を備える。更に、前記差込片の下端側の領域は、前記差込片の下端から上方に延びる溝を介して、前記一方の端部と部分的に離間しており、前記差込片の下端側には、前記係止溝に係止するように、前記差込片の溝縁から溝内に突出する突起部が設けられている。
【０００９】
上記構成に係る五徳ユニットは、使用しない際には、複数の風防板に分解して持ち運ぶことができる。そのため、上記構成に係る五徳ユニットは携帯性に優れている。また、上記構成では、各風防板の差込孔の下方には係止溝が設けられ、各風防板の差込片には、その係止溝に係止する突起部が設けられる。そのため、隣接する風防板の間において一方の風防板の差込片を他方の風防板の差込孔に差し込んだ後、差込片の突起部を係止溝に係止させることで、両風防板を強固に連結することができる。すなわち、隣接する風防板の間で形成される連結を外れにくくすることができ、使用中の五徳ユニットが自然と解体されてしまうのを防止することができる。
【００１０】
したがって、上記構成によれば、携帯性に優れ、かつ、使い勝手のよい五徳を提供することができる。なお、上記構成に係る五徳ユニットは、複数の風防板を連結することで組み立てられるため、風防機能を備えている。そのため、上記構成に係る五徳ユニットは、アウトドアでの利用に非常に適している。
【００１１】
また、上記一側面に係る五徳ユニットの別の形態として、上記五徳ユニットは、前記各風防板にそれぞれ取り付けられ、前記各風防板の上下方向の長さをそれぞれ延長する複数の風防延長板を更に備えてもよい。そして、前記各風防延長板は、下端部に並列に設けられる一対の取付片であって、前記各風防板の上端部を挟持可能に面直方向に離間する一対の取付片を有してもよい。
【００１２】
当該構成によれば、各風防板の上端部に各風防延長板を載せると、各風防延長板の一対の取付片が各風防板の上端部を挟持する。そのため、各風防延長板を各風防板に簡単な操作で連結することができ、五徳ユニットの高さを延長することができる。したがって、当該構成によれば、簡単な操作で高さを延長可能な五徳を提供することができる。また、当該構成に係る五徳ユニットは、高さを変更することができるため、焚き火等の様々な用途に利用可能である。
【００１３】
また、上記一側面に係る五徳ユニットの別の形態として、前記各風防延長板は、左右方向の一方の端部側に設けられる差込片と、左右方向の他方の端部側に設けられ、前記差込片が差込可能に形成される差込孔と、前記差込孔の下方に設けられる係止溝と、を備えてもよい。そして、前記各風防延長板における前記差込片の下端側の領域は、前記差込片の下端から上方に延びる溝を介して、前記一方の端部と部分的に離間していてもよい。更に、前記各風防延長板の前記差込片の下端側には、前記係止溝に係止するように、前記差込片の溝縁から溝内に突出する突起部が設けられてもよい。当該構成によれば、上記と同様に、各風防延長板を強固に連結することができるため、高さを変更可能でかつ非常に使い勝手のよい五徳を提供することができる。
【００１４】
また、上記一側面に係る五徳ユニットの別の形態として、前記各風防板は、組み立てた状態の前記五徳ユニットの内部空間側に開口するスリットを更に備えていてもよい。当該構成によれば、このスリットを利用して、五徳ユニットの内部空間に様々な器具を取り付けることができる。そのため、当該構成によれば、様々な用途に利用可能な五徳を提供することができる。
【００１５】
また、上記一側面に係る五徳ユニットの別の形態として、前記各風防板の前記スリットは、所定のアルコールストーブのフリンジが係止可能に形成され、かつ、当該アルコールストーブのフリンジが前記スリットに係止したときに、前記アルコールストーブの底部が地面から離間するような高さに配置されてよい。当該構成によれば、このスリットを利用して、五徳ユニットの内部空間にアルコールストーブを取り付けることができる。また、このアルコールストーブは、五徳ユニットに浮いた状態で取り付けられる。そのため、当該構成によれば、五徳ユニットを載置する地面にアルコールストーブの底部が干渉するのを防止することができるため、当該アルコールストーブを様々な場所で利用することができる。
【００１６】
また、上記一側面に係る五徳ユニットの別の形態として、上記五徳ユニットは、前記各風防板で形成される内部空間に取り付け可能な中板を更に備えてもよい。そして、前記中板は、面直方向に貫通する１又は複数の貫通孔と、前記各風防板の前記スリットにそれぞれ挿入可能に各端辺からそれぞれ突出する複数の突起部と、を備えてもよい。当該構成によれば、五徳ユニットの内部空間に連結可能な中板が提供される。そのため、当該構成によれば、様々な用途に利用可能な五徳を提供することができる。
【００１７】
また、上記一側面に係る五徳ユニットの別の形態として、前記中板は、所定のアルコールストーブの下端部を挿入可能な挿入孔を更に備えてもよい。そして、前記挿入孔は、当該挿入孔の縁に前記アルコールストーブのフランジが係止するように形成されてよい。当該構成によれば、所定のアルコールストーブを支持可能な中板を提供することができる。
【００１８】
また、上記一側面に係る五徳ユニットの別の形態として、前記中板は、複数に分離可能に構成されてよい。当該構成によれば、中板を複数に分離して持ち運ぶことができるため、五徳ユニットの携帯性を高めることができる。
【００１９】
また、本考案の一側面に係るテーブルシステムは、上記いずれかの形態の五徳ユニットと、携帯用テーブルとを備える。そして、前記各風防板は、下端部の一領域から下方に延びる脚部を備え、前記携帯用テーブルは、互いに向かい合うように折り畳み可能に連結され、展開されたときに天板を形成する一対の天板片と、前記天板を折り畳んだときに前記各天板片の裏面側に収納されるように、前記天板の裏面に折り畳み可能に連結された４つの支持脚と、を備え、前記天板の表面には、前記各風防板の前記脚部をそれぞれ挿入可能に構成された複数のスリットが設けられる。
【００２０】
上記構成によれば、携帯用テーブルは折り畳むことができ、また、各支持脚を折り畳んだ天板内に収納することができる。そのため、上記構成に係るテーブルシステムは携帯性に優れている。更に、上記構成では、携帯用テーブルの天板に各風防板の脚部をそれぞれ挿入可能な複数のスリットが設けられるため、携帯用テーブルの天板に五徳ユニットを連結することができる。すなわち、携帯用テーブルの天板に五徳ユニットを固定することができるため、携帯用テーブルを、火を取り扱う際の作業台、調理台等として利用することもできる。したがって、上記構成によれば、携帯性に優れ、かつ、様々な用途に利用可能な使い勝手のよいテーブルシステムを提供することができる。
【００２１】
また、上記一側面に係るテーブルシステムの別の形態として、前記携帯用テーブルは、互いに離間して設けられる一対の挿入片を有する天板延長板を更に備えてもよい。そして、前記一対の天板片それぞれの側壁には、前記一対の天板片の連結部を挟むように、前記天板延長板の各挿入片が挿入可能な挿入孔が設けられてよい。当該構成によれば、天板を延長するための天板延長板が提供される。
【００２２】
また、当該構成では、天板延長板の各挿入片を挿入する挿入孔が、各天板片を連結する連結部を挟むように、各天板片の側壁にそれぞれ設けられる。すなわち、天板延長板の一対の挿入片に対応する一対の挿入孔が、各天板片を連結する連結部を挟むように天板の側壁に設けられる。そのため、天板延長板を天板に取り付けた場合に、天板延長板は、いずれか一方の天板片に連結されるのではなく、両天板片に連結される。したがって、天板延長板を天板に取り付けることで、一対の天板片が展開した状態を天板延長板により固定することができ、携帯用テーブルの安定性を高めることができる。
【考案の効果】
【００２３】
本考案によれば、携帯性に優れ、かつ、使い勝手のよい五徳を提供することができる。
【図面の簡単な説明】
【００２４】
【図１】図１は、実施の形態に係る風防板を模式的に例示する正面図である。
【図２】図２は、実施の形態に係る風防板を模式的に例示する側面図である。
【図３】図３は、３枚の風防板で組み立てた五徳ユニットを模式的に例示する斜視図である。
【図４】図４は、４枚の風防板で組み立てた五徳ユニットを模式的に例示する斜視図である。
【図５】図５は、３枚の風防板で組み立てた五徳ユニットにアルコールストーブを取り付けた状態を模式的に例示する上面図である。
【図６】図６は、実施の形態に係る風防延長板を模式的に例示する正面図である。
【図７】図７は、実施の形態に係る風防延長板を模式的に例示する側面図である。
【図８】図８は、３枚の風防板で組み立てた五徳ユニットに３枚の風防延長板を連結した状態を模式的に例示する斜視図である。
【図９】図９は、４枚の風防板で組み立てた五徳ユニットに４枚の風防延長板を連結した状態を模式的に例示する斜視図である。
【図１０】図１０は、３枚の風防板で組み立てた五徳ユニットに取り付け可能な中板を模式的に例示する。
【図１１】図１１は、４枚の風防板で組み立てた五徳ユニットに取り付け可能な中板を模式的に例示する。
【図１２】図１２は、４枚の風防板で組み立てた五徳ユニットに取り付け可能な中板を模式的に例示する。
【図１３】図１３は、４枚の風防板で組み立てた五徳ユニットに中板を取り付けた状態を模式的に例示する上面図である。
【図１４】図１４は、実施の形態に係る携帯用テーブルを模式的に例示する斜視図である。
【図１５】図１５は、実施の形態に係る携帯用テーブルを模式的に例示する正面図である。
【図１６】図１６は、実施の形態に係る携帯用テーブルを模式的に例示する上面図である。
【図１７】図１７は、実施の形態に係る携帯用テーブルの各支持脚を折り畳んだ状態を例示する底面図である。
【図１８】図１８は、実施の形態に係る携帯用テーブルの支持脚を模式的に例示する斜視図である。
【図１９】図１９は、実施の形態に係る携帯用テーブルを折り畳んだ状態を模式的に例示する斜視図である。
【図２０】図２０は、４枚の風防板で組み立てた五徳ユニットを携帯用テーブルに取り付けた状態を模式的に例示する斜視図である。
【図２１】図２１は、実施の形態に係る天板延長板を模式的に例示する正面図である。
【図２２】図２２は、実施の形態に係る天板延長板を模式的に例示する側面図である。
【図２３】図２３は、実施の形態に係る携帯用テーブルに天板延長板を取り付けた状態を模式的に例示する斜視図である。
【考案を実施するための形態】
【００２５】
以下、本考案の一側面に係る実施の形態（以下、「本実施形態」とも表記する）を、図面に基づいて説明する。ただし、以下で説明する本実施形態は、あらゆる点において本考案の例示に過ぎない。本考案の範囲を逸脱することなく種々の改良や変形を行うことができることは言うまでもない。つまり、本考案の実施にあたって、実施形態に応じた具体的構成が適宜採用されてもよい。なお、以下の説明では、説明の便宜のため、図面内の向きを基準として説明を行う。
【００２６】
§１  五徳ユニット
［風防板］
＜構成例＞
まず、図１及び図２を用いて、本実施形態に係る五徳ユニット１を構成するための風防板２について説明する。図１は、風防板２を模式的に例示する正面図である。また、図２は、風防板２を模式的に例示する側面図である。後述する図３及び図４に示されるとおり、本実施形態では、この風防板２を複数枚連結することで、五徳ユニット１が組み立てられる。
【００２７】
図１に例示されるように、本実施形態に係る風防板２は、略矩形状に形成されており、表面２１と裏面２２とを有している。五徳ユニット１を組み立てた際には、表面２１は五徳ユニット１の外側を向き、裏面２２は内側を向く。この表面２１と裏面２２との関係は反対であってもよい。
【００２８】
この風防板２の周縁部は、上方に配置される上端部２３と、上端部２３に対向する下端部２４と、上端部２３及び下端部２４の右端を連結する右端部２５と、上端部２３及び下端部２４の左端を連結する左端部２６と、で構成されている。なお、図２は、右端部２５側から風防板２を見た場面を示している。
【００２９】
上端部２３は、五徳ユニット１を組み立てた際に、当該五徳ユニット１の上端を形成する部位である。本実施形態では、上端部２３の右側の一領域は、部分的に上方に延出しており、調理器具等を載置する載置部２３１を形成している。図１及び図２に例示されるように、載置部２３１は、略矩形状に形成され、表面２１側に傾斜している。この載置部２３１には、表面２１から裏面２２に貫通する貫通孔２３２が設けられている。図１の例では、載置部２３１には５つの貫通孔２３２が設けられており、各貫通孔２３２は円形状に形成されている。
【００３０】
下端部２４は、五徳ユニット１を組み立てた際に、当該五徳ユニット１の下端を形成する部位である。本実施形態では、下端部２４の左側の一領域は、部分的に下方に延出しており、脚部２４１を形成している。図１に例示されるように、脚部２４１は、下端部２４の一領域から下方に延びており、面直方向には傾斜していない。すなわち、図２に例示されるように、脚部２４１は、風防板２の連続する領域と面一に構成されている。この脚部２４１は略矩形状に形成されており、脚部２４１の角は湾曲している。
【００３１】
右端部２５側には、差込片２５１が設けられている。そのため、本実施形態では、右端部２５が、本考案の「左右方向の一方の端部」に相当する。差込片２５１の下端側の領域には、差込片２５１の下端から上方に延びる溝２５３が設けられている。この溝２５３の左右方向の幅は、風防板２の厚みよりもやや大きくなるように形成されている。差込片２５１の下端側の領域は、この溝２５３を介して、右端部２５と部分的に離間している。そして、差込片２５１の下端側には、溝２５３と接する差込片２５１の溝縁から溝内方向に向けて突出する突起部２５２が設けられている。これにより、差込片２５１は、略鉤状に形成されている。
【００３２】
これに対して、左端部２６側には、差込孔２６１が設けられている。そのため、本実施形態では、左端部２６が、本考案の「左右方向の他方の端部」に相当する。この差込孔２６１には、他の風防板２の差込片２５１が挿入される。したがって、差込孔２６１は、差込片２５１が挿入可能な形状に形成される。
【００３３】
本実施形態では、差込孔２６１は、面直方向に貫通しており、上下方向に延びる矩形状に形成されている。差込孔２６１の左右方向の幅は、差込片２５１の厚み（図１の紙面に垂直な方向の長さ）に対応している。また、差込孔２６１の上下方向の幅は、差込片２５１の上下方向の長さに対応している。これによって、本実施形態に係る差込孔２６１は、差込片２５１を挿入可能に形成されている。なお、左端部２６と差込孔２６１との間の距離は、実施の形態に応じて適宜設定されてよい。
【００３４】
また、左端部２６側には、差込孔２６１の下方に、係止溝２６２が設けられている。本実施形態では、係止溝２６２は、面直方向に貫通しており、上下方向に延びる矩形状に形成されている。係止溝２６２は差込孔２６１と上下方向に整列しており、係止溝２６２の左右方向の幅は差込孔２６１の左右方向の幅と同程度に、係止溝２６２の上下方向の幅は差込孔２６１の上下方向の幅より短く形成されている。
【００３５】
この係止溝２６２の上下方向の幅は突起部２５２の上下方向の長さに対応しており、差込孔２６１の下端と係止溝２６２の上端との間の長さは、差込片２５１の溝２５３に隣接する端辺２５４と突起部２５２の上端との間の長さに対応している。これによって、係止溝２６２は、突起部２５２が係止可能に形成されている。すなわち、差込片２５１を差込孔２６１に差し込んだ後に、突起部２５２を係止溝２６２に係止させることができる。
【００３６】
更に、本実施形態では、風防板２の中央付近には、左右方向に延びる矩形状のスリット２７が設けられている。このスリット２７は、面直方向に貫通しており、表面２１側及び裏面２２側共に開口している。また、差込孔２６１付近に、円形状の貫通孔２６３が設けられている。この貫通孔２６３は、複数枚の風防板２をボールチェーン等でつないでまとめるのに利用される。
【００３７】
このような風防板２は、耐火性の材料で作成される。例えば、風防板２の材料には、アルミ板、ステンレス板等の金属板が利用されてよい。また、例えば、風防板２の材料には、耐熱性非金属の素材が用いられてもよい。そして、金属板等に公知の機械加工を施すことで、上記の風防板２を作製することができる。
【００３８】
＜使用方法＞
次に、図３及び図４を用いて、風防板２の使用方法、すなわち、五徳ユニット１の組み立て方法を説明する。本実施形態では、上記風防板２を複数枚連結することで、五徳ユニット１を組み立てることができる。図３は、３枚の風防板２で組み立てた五徳ユニット１を模式的に例示する斜視図である。図４は、４枚の風防板２で組み立てた五徳ユニット１を模式的に例示する斜視図である。なお、各図では、図面の見易さを確保するため、一部の構成要素について符号を省略した。後述する各図についても同様である。
【００３９】
まず、複数枚の風防板２を用意する。例えば、図３に例示されるように、三角柱状の五徳を形成する場合には、３枚の風防板２を用意する。また、図４に例示されるように、四角柱状の五徳を形成する場合には、４枚の風防板２を用意する。そして、用意した複数枚の風防板２をそれぞれ連結することで、五徳ユニット１を組み立てる。このとき、隣接する２つの風防板２の間では次のような操作が行われる。
【００４０】
すなわち、一方の風防板２の差込片２５１を他方の風防板２の差込孔２６１に差し込む。このとき、差込片２５１は、裏面２２側から差込孔２６１に差し込んでもよいし、表面２１側から差込孔２６１に差し込んでもよい。ここでは、差込片２５１は、裏面２２側から差込孔２６１に差し込むこととする。差込片２５１は、一方の風防板２の右端部２５の差込片２５１以外の領域が他方の風防板２の裏面２２に接するまで、差込孔２６１に差し込むことができる。
【００４１】
ここで、本実施形態では、溝２５３の左右方向の幅は、風防板２の厚みよりも大きくなっている。そのため、差込片２５１を差込孔２６１に差し込むと、差込片２５１の突起部２５２は他方の風防板２の表面２１よりも前方に位置し、差込孔２６１と係止溝２６２との間の部分を溝２５３に嵌まり込ませられるようになる。
【００４２】
そこで、一方の風防板２の差込片２５１を他方の風防板２の差込孔２６１に差し込んだ後には、差込孔２６１と係止溝２６２との間の部分を溝２５３に嵌まり込ませ、差込片２５１の差込位置を下方に移動させる。差込片２５１の差込位置は、差込片２５１の溝２５３側の端辺２５４が差込孔２６１の下端に接するまで下方に移動させることができる。
【００４３】
そして、差込片２５１の差込位置を下方に移動させた後、隣接する２つの風防板２の相対的な位置を調節することで、一方の風防板２の突起部２５２を他方の風防板２の係止溝２６２に係止させる。これにより、隣接する２つの風防板２を連結することができる。本実施形態では、このような連結操作を風防板２の各隣接箇所で行うことによって、図３及び図４に例示される五徳ユニット１を組み立てることができる。
【００４４】
＜特徴＞
このように組み立てられた五徳ユニット１は、次のような特徴を有する。
【００４５】
すなわち、組み立てられた五徳ユニット１の隣接する２つの風防板２の間ではそれぞれ、一方の風防板２の突起部２５２が他方の風防板２の係止溝２６２に係止している。換言すると、一方の風防板２の差込片２５１が、他方の風防板２の差込孔２６１を介して係止溝２６２に引っ掛かったような状態になっている。
【００４６】
そのため、隣接する２つの風防板２を離間するような外力が作用した場合に、他方の風防板２の差込孔２６１と係止溝２６２との間の部分は、一方の風防板２の突起部２５２上側の溝縁に当接し、当該一方の風防板２の溝２５３に囚われた状態になる。すなわち、そのような外力が作用しても、一方の風防板２の差込片２５１が他方の風防板２の差込孔２６１から外れることはなく、隣接する２つの風防板２の間の連結は維持される。よって、本実施形態によれば、各風防板２を強固に連結することができ、使用中の五徳ユニットが自然に解体されてしまうのを防止することができる。
【００４７】
また、この五徳ユニット１では、隣接する２つの風防板２の間において一方の風防板２の突起部２５２が他方の風防板２の係止溝２６２に係止しているのを解除することで、隣接する２つの風防板２の間の連結を簡単に開放することが可能になる。そのため、本実施形態に係る五徳ユニット１は簡単に解体することができる。そして、五徳として使用しない際には、五徳ユニット１は、各風防板２に分解して重ねることでコンパクトにすることができる。よって、本実施形態に係る五徳ユニット１は、携帯性に優れている。
【００４８】
したがって、本実施形態によれば、携帯性に優れ、かつ、使い勝手のよい五徳を提供することができる。
【００４９】
また、本実施形態では、図３及び図４に例示されるように、複数枚の風防板２を連結することで五徳ユニット１の内部空間が形成され、この内部空間において燃料等の燃焼が行われる。すなわち、各風防板２は、風防機能を果たすことができる。そのため、上記構成に係る五徳ユニット１は、アウトドアでの利用に非常に適している。
【００５０】
また、本実施形態では、各風防板２は、内部空間側に開口するスリット２７を備えている。そのため、このスリット２７を利用して、五徳ユニット１の内部空間に様々な器具を取り付けることができる。例えば、図５に例示されるように、五徳ユニット１の内部空間にアルコールストーブ９を取り付けてもよい。
【００５１】
図５は、３枚の風防板２で組み立てた五徳ユニット１の内部空間にアルコールストーブ９を取り付けた状態を模式的に例示する上面図である。アルコールストーブ９は、市販又は自作のアルコールストーブであってよい。この場合、各風防板２の寸法は、各スリット２７により取り付ける対象となる所定のアルコールストーブに対応可能に適宜構成される。図５の例では、各風防板２の寸法は、３枚の風防板２で形成される内部空間の大きさがアルコールストーブ９の大きさに適合するように構成されている。
【００５２】
また、この場合、各風防板２のスリット２７は、アルコールストーブ９のフリンジ９１が係止可能に形成される。このスリット２７を設ける高さは、実施の形態に応じて適宜選択されてよい。ただし、各風防板２のスリット２７は、アルコールストーブ９のフリンジ９１がスリット２７に係止したときに、アルコールストーブ９の底部が地面から離間するような高さに配置されるのが好ましい。これによって、アルコールストーブ９を五徳ユニット１に浮いた状態で取り付けることができる。そのため、五徳ユニット１を載置する地面にアルコールストーブ９の底部が干渉するのを防止することができ、アルコールストーブ９を様々な場所で利用することができるようになる。
【００５３】
なお、本実施形態では、各風防板２の下端部２４には脚部２４１が部分的に形成されており、その残りの領域は、脚部２４１の下端から上方に位置している。そのため、この領域と地面との間には隙間が形成され、五徳ユニット１の内部空間に外部から空気を取り込むことができるようになっている。
【００５４】
また、各風防板２の載置部２３１は外側に傾斜しており、これによって、様々なサイズの調理器具が置きやすくなっている。更に、各載置部２３１には複数の貫通孔２３２が設けられているため、五徳ユニット１の上端に調理器具を載せても、五徳ユニット１の上端が閉じられることはなく、これらの貫通孔２３２を介して内部空間の空気を適切に排出することができる。また、貫通孔２３２によって、五徳ユニット１の内部に熱がこもり過ぎるのを防止し、熱暴走が生じるのを避けることができる。
【００５５】
なお、図３及び図４では、３枚又は４枚の風防板２によって五徳ユニット１が組み立てられている。しかしながら、五徳ユニット１を構成する風防板２の枚数は、３枚及び４枚に限定されなくてもよく、２枚であってもよいし、５枚以上であってもよい。ただし、２枚の風防板２により五徳ユニット１を構成する場合、他の部材を用いないときには、五徳ユニット１の内部空間は部分的に開放される。そのため、五徳ユニット１を構成する風防板２の枚数は３枚以上が好ましい。
【００５６】
［風防延長板］
＜構成例＞
次に、図６及び図７を用いて、風防板２の上下方向の長さを延長するために利用される風防延長板３について説明する。本実施形態では、各風防板２の上下方向の長さは、五徳ユニット１の高さに対応する。この高さを変更することができれば、この五徳ユニット１の様々な用途に利用可能である。そこで、五徳ユニット１は、風防板２の上下方向の長さを延長するための風防延長板を備えてもよい。以下、このような風防延長板の一例について説明する。図６は、本実施形態に係る風防延長板３を模式的に例示する正面図である。また、図７は、本実施形態に係る風防延長板３を模式的に例示する側面図である。
【００５７】
図６及び図７に例示されるように、風防延長板３は、略矩形状に形成され、上記風防板２とほぼ同様に構成される。具体的には、風防延長板３の表面３１及び裏面３２はそれぞれ、風防板２の表面２１及び裏面２２に対応する。風防延長板３の周縁部を構成する上端部３３、下端部３４、右端部３５及び左端部３６はそれぞれ、風防板２の上端部２３、下端部２４、右端部２５及び左端部２６に対応する。
【００５８】
また、風防延長板３の差込片３５１、突起部３５２、溝３５３及び端辺３５４はそれぞれ、風防板２の差込片２５１、突起部２５２、溝２５３及び端辺２５４と同様である。風防延長板３の差込孔３６１、係止溝３６２及び貫通孔３６３はそれぞれ、風防板２の差込孔２６１、係止溝２６２及び貫通孔３６３と同様である。
【００５９】
一方、本実施形態では、図６及び図７に例示されるように、風防延長板３の上端部３３に設けられる調理器具等を載置する載置部３３１は、上記風防板２と異なり、裏面３２側に傾斜している。この載置部３３１は、上端部３３の右側の一領域が上方に延出することで、略矩形状に形成されている。この載置部３３１には貫通孔が設けられておらず、載置部３３１の左右方向の長さは、風防板２の載置部２３１よりもやや短く構成されている。複数枚の風防延長板３をつなげた場合、各載置部３３１は内側に傾斜する。これによって、比較的に小さいサイズの調理器具を各載置部３３１上に載置することができる。また、各風防延長板３は各風防板２上に配置されるため、このように各載置部３３１が内側を向いていても、各載置部３３１がメルトダウンする恐れがない。
【００６０】
また、本実施形態では、図６及び図７に例示されるように、風防延長板３の下端部３４には、一対の取付片（３４１、３４２）が設けられている。説明の便宜のため、一対の取付片（３４１、３４２）を個々に区別する場合には、第１取付片３４１、第２取付片３４２と称する。図６に例示されるように、各取付片（３４１、３４２）は、矩形状に形成されており、左右方向にやや離間して並列に配置されている。
【００６１】
両取付片（３４１、３４２）は、風防板２の載置部２３１の設けられていない領域に対応して配置される。本実施形態では、風防板２の載置部２３１は、上端部２３の右端側に配置されている。そのため、両取付片（３４１、３４２）は、下端部３４の左端側に配置されている。各取付片（３４１、３４２）は、風防板２の上端部２３に当接可能な位置に適宜配置される。
【００６２】
加えて、図７に例示されるように、第１取付片３４１は、下端部３４との根元部分でやや外側に起き上がっており、表面３１側に若干せり出している。これに対して、第２取付片３４２は、下端部３４との根元部分でやや内側に起き上がっており、裏面３２側に若干せり出している。これにより、第１取付片３４１及び第２取付片３４２は面直方向に離間している。
【００６３】
この第１取付片３４１及び第２取付片３４２が面直方向に離間する距離は、風防板２の厚み（図２の左右方向の長さ）と同じ又はやや大きくなるように構成される。これによって、本実施形態に係る風防延長板３は、第１取付片３４１及び第２取付片３４２によって風防板２の上端部２３を挟持可能に構成される。
【００６４】
更に、本実施形態では、風防延長板３のやや上端部３３寄りに、３つの貫通孔３７が設けられている。各貫通孔３７は、角丸長方形に形成されており、上端部３３に沿って並列に並んでいる。五徳ユニット１を組み立てた後には、各貫通孔３７は、上記貫通孔２３２と同様に、空気の排出口となる。特に、五徳ユニット１の内部で木材を燃やす場合、この各貫通孔３７によって、五徳ユニット１内が排気不足になるのを防止することができる。なお、この貫通孔３７により十分に排気可能であるため、載置部３３１に貫通孔が設けられなくてよい。
【００６５】
このような風防延長板３は、上記風防板２と同様に、耐火性の材料で作成される。例えば、風防延長板３の材料には、アルミ板、ステンレス板等の金属板が利用されてよい。また、例えば、風防延長板３の材料には、耐熱性非金属の素材が用いられてもよい。そして、金属板等に公知の機械加工を施すことで、上記の風防延長板３を作製することができる。
【００６６】
＜使用方法＞
次に、図８及び図９を用いて、風防延長板３の使用方法を説明する。図８は、３枚の風防板２で組み立てた五徳ユニット１に３枚の風防延長板３を連結した状態を模式的に例示する斜視図である。また、図９は、４枚の風防板２で組み立てた五徳ユニット１に４枚の風防延長板３を連結した状態を模式的に例示する斜視図である。
【００６７】
まず、五徳ユニット１を組み立てた風防板２と同じ枚数の風防延長板３を用意する。例えば、上記のとおり、３枚の風防板２で三角柱状の五徳ユニット１を形成した場合には、３枚の風防延長板３を用意する。また、４枚の風防板２で四角柱状の五徳ユニット１を形成した場合には、４枚の風防延長板３を用意する。
【００６８】
次に、用意した複数枚の風防延長板３をそれぞれ連結する。風防延長板３の連結は、上記風防板２と同様の方法で行うことができる。これによって、上記図３及び図４と同様の構造体を形成することができる。
【００６９】
そして、複数枚の風防延長板３で形成した構造体を五徳ユニット１の上端に載せ、各風防延長板３を各風防板２の上端部２３に連結する。具体的には、各風防延長板３の第１取付片３４１が風防板２の表面２１に当接し、第２取付片３４２が裏面２２に当接するように、各風防延長板３を各風防板２の上端部２３に取り付ける。すなわち、各風防板２の上端部２３が各風防延長板３の一対の取付片（３４１、３４２）により挟持されるように、各風防延長板３を各風防板２の上端部２３に載置することで、各風防板２と各風防延長板３とを連結する。これによって、図８及び図９に例示されるように、各風防延長板３を各風防板２に取り付け、各風防板２の上下方向の長さ、換言すると五徳ユニット１の高さ、を延長することができる。
【００７０】
＜特徴＞
上記のように、各風防延長板３を各風防板２に取り付ける作業は、各風防延長板３を各風防板２の上端部２３に載置することにすぎない。そのため、各風防延長板３を各風防板２に簡単な作業で連結することができ、これによって、五徳ユニット１の高さを延長することができる。したがって、本実施形態によれば、簡単な操作で高さを変更可能な五徳を提供することができる。更に、本実施形態に係る五徳ユニット１は、この風防延長板３により高さを変更することができるため、焚き火等の様々な用途に利用することができる。
【００７１】
また、本実施形態に係る各風防延長板３は、各風防板２と同様の連結機構を有する。そのため、上記各風防板２と同様に、隣接する風防延長板３を強固に連結することができる。したがって、本実施形態によれば、簡単な操作で高さを変更可能でかつ非常に使い勝手のよい五徳を提供することができる。
【００７２】
なお、本実施形態では、各風防延長板３の左右方向の長さは、各風防板２の左右方向の長さとほぼ同じに構成される。これによって、風防板２と同数の風防延長板３によって、五徳ユニット１の高さを延長することができる。一方、各風防延長板３の上下方向の長さは、各風防板２の上下方向の長さと同じであってもよいし、異なっていてもよい。各風防延長板３の上下方向の長さは、実施の形態に応じて適宜設定可能である。
【００７３】
［中板］
＜構成例＞
次に、図１０〜図１２を用いて、上記五徳ユニット１に利用可能な中板４〜６を説明する。本実施形態では、各風防板２はスリット２７を備えている。そのため、五徳ユニット１は、このスリット２７によって内部空間に取り付け可能な中板を備えてもよい。以下、このような中板の一例について説明する。図１０は、３枚の風防板２で組み立てた五徳ユニット１に取り付け可能な中板４を模式的に例示する。図１１及び図１２はそれぞれ、４枚の風防板２で組み立てた五徳ユニット１に取り付け可能な中板５を模式的に例示する。
【００７４】
まず、中板４について説明する。３枚の風防板２で五徳ユニット１を組み立てた場合、五徳ユニット１の内部空間は、上記図３で例示されるように、三角柱状に形成される。そのため、このような五徳ユニット１の内部空間に取り付け可能なように、中板４は、角取三角形状に形成されている（図１０参照）。
【００７５】
この中板４は、各風防板２に対応する各端辺４１〜４３にそれぞれ突起部（４１１、４２１、４３１）が設けられている。各突起部（４１１、４２１、４３１）は、各風防板２のスリット２７に挿入可能に各端辺４１〜４３から矩形状に突出している。加えて、各突起部（４１１、４２１、４３１）は、各風防板２のスリット２７の位置に対応して配置される。
【００７６】
また、この中板４は、面直方向に貫通する複数の貫通孔４４を備えている。各貫通孔４４は、円形状に形成されており、螺旋状に配置されている。そして、螺旋状の内側には、外側に配置された貫通孔４４よりも小径に形成された貫通孔４４が存在している。各貫通孔４４は、燃料などが通過しない程度に小径に形成される。そのため、この中板４は、五徳ユニット１の内部空間に取り付けることで、火床として利用することができる。
【００７７】
次に、中板５について説明する。４枚の風防板２で五徳ユニット１を組み立てた場合、五徳ユニット１の内部空間は、上記図４に例示されるように、四角柱状に形成される。そのため、このような五徳ユニット１の内部空間に取り付け可能なように、中板５は、略矩形状に形成されている（図１１参照）。
【００７８】
この中板５は、外形を除き、中板４とほぼ同様に構成される。すなわち、この中板５は、各風防板２に対応する各端辺５１〜５４にそれぞれ突起部（５１１、５２１、５３１、５４１）が設けられている。各突起部（５１１、５２１、５３１、５４１）は、各風防板２のスリット２７に挿入可能に各端辺５１〜５４から矩形状に突出している。加えて、各突起部（５１１、５２１、５３１、５４１）は、各風防板２のスリット２７の位置に対応して配置される。
【００７９】
また、この中板５は、面直方向に貫通する複数の貫通孔５５を備えている。各貫通孔５５は、上記各貫通孔４４と同様に、円形状に形成されており、螺旋状に配置されている。また、各貫通孔５５は、燃料などが通過しない程度に小径に形成される。そのため、この中板５は、五徳ユニット１の内部空間に取り付けることで、火床として利用することができる。
【００８０】
次に、中板６について説明する。図１２に例示されるように、中板６は、挿入孔６６を備える点を除き、中板５と同様の構成を有する。すなわち、中板６は、４枚の風防板２で組み立てた五徳ユニット１の内部空間に取り付けられるものであり、中板６の各端辺６１〜６４は、中板５の各端辺５１〜５４に対応する。また、中板６の各突起部（６１１、６２１、６３１、６４１）は、中板５の各突起部（５１１、５２１、５３１、５４１）に対応する。更に、中板６の貫通孔６５は、中板５の貫通孔５５に対応する。
【００８１】
上記のとおり、各風防板２のスリット２７は、所定のアルコールストーブ（図５のアルコールストーブ９）のフリンジが挿入可能に構成されてよい。本実施形態では、３枚の風防板２で五徳ユニット１を構成した場合に、アルコールストーブ９のフリンジが各風防板２のスリット２７に係止するように、各構成要素の寸法が決められている。そのため、このように寸法の決められた風防板２を４枚使用して五徳ユニット１を組み立てた場合には、この五徳ユニット１の内部空間にはアルコールストーブ９を取り付けることができない。
【００８２】
そこで、このような場合にも、五徳ユニット１の内部空間にアルコールストーブを取り付けることができるように、中板６は、所定のアルコールストーブ（例えば、アルコールストーブ９）の下端部を挿入可能な挿入孔６６を備えている。この挿入孔６６は、アルコールストーブ９のフリンジ９１が当該挿入孔６６の縁で係止するように形成される。これによって、五徳ユニット１の内部空間にアルコールストーブ９を取り付けることができる。なお、この中板６では、貫通孔６５は、挿入孔６６の周囲に配置される。
【００８３】
以上のような各中板４〜６は、上記風防板２及び風防延長板３と同様に、耐火性の材料で作成される。例えば、各中板４〜６は、アルミ板、ステンレス板等の金属板が利用されてよい。また、例えば、各中板４〜６の材料には、耐熱性非金属の素材が用いられてもよい。そして、金属板等に公知の機械加工を施すことで、上記各中板４〜６が作成されてよい。
【００８４】
なお、各中板４〜６は、複数に分離可能に構成されてよい。例えば、図１１に例示されるように、中板５は、線Ｌに沿って切断され、２つの中板片に分離されてよい。これによって、各中板４〜６を複数に分離して持ち運ぶことが可能になり、五徳ユニット１の携帯性を高めることができる。
【００８５】
＜使用方法＞
次に、図１３を用いて、各中板４〜６の使用方法を説明する。各中板４〜６の使用方法はほぼ同様である。各中板４〜６は、上記風防板２を連結する過程で、各中板４〜６の各突起部を各風防板２のスリット２７に挿入することで、五徳ユニット１の内部空間に取り付けることができる。例えば、図１３に例示されるように、各中板４〜６を五徳ユニット１の内部空間に取り付けることができる。例えば、図１３では、４枚の風防板２で構成した五徳ユニット１に中板６を取り付けた例が示されている。そして、五徳ユニット１を組み立てた後は、中板４及び中板５は火床として利用することできる。また、中板６は、アルコールストーブ９の支持具として利用することができる。なお、中板６を使用する場合には、空き缶の底などで挿入孔６６を塞ぐことで、中板６を、中板４及び中板５と同様に火床として利用してもよい。
【００８６】
＜特徴＞
上記のように、各中板４〜６によって、五徳ユニット１の内部空間に火床を設けたり、所定のアルコールストーブの支持具を設けたりすることができる。そのため、このような中板４〜６によれば、五徳ユニット１の利用形態の幅が広がり、様々な用途に五徳ユニット１を利用することができる。例えば、中板４に燃料を直接載せて燃焼することで、焚き火を行うことができる。また、中板６によれば、多数の風防板２によってアルコールストーブ９よりも大きいサイズに五徳ユニット１を組み立てた場合であっても、この五徳ユニット１の内部空間にアルコールストーブ９を取り付けることができる。
【００８７】
§２  携帯用テーブル
＜構成例＞
次に、図１４〜図１９を用いて、上記五徳ユニット１と共に利用可能な携帯用テーブル７について説明する。図１４は、本実施形態に係る携帯用テーブル７を模式的に例示する斜視図である。図１５は、本実施形態に係る携帯用テーブル７を模式的に例示する正面図である。図１６は、本実施形態に係る携帯用テーブル７を模式的に例示する上面図である。図１７は、本実施形態に係る携帯用テーブル７の各支持脚７４を折り畳んだ状態を例示する底面図である。図１８は、本実施形態に係る携帯用テーブル７の支持脚７４を模式的に例示する斜視図である。また、図１９は、本実施形態に係る携帯用テーブル７を折り畳んだ状態を模式的に例示する斜視図である。
【００８８】
図１４〜図１９に例示されるように、携帯用テーブル７は、一対の天板片（７１、７２）によって構成される天板７０と、天板７０の裏面に連結される４つの支持脚７４と、天板７０の表面に設けられる複数のスリット７６と、を備えている。以下、各構成要素について説明する。
【００８９】
（天板）
まず、天板７０について説明する。図１４及び図１５に例示されるように、携帯用テーブル７の天板７０は、一対の天板片（７１、７２）によって構成される。説明の便宜のため、一対の天板片（７１、７２）を個々に区別する場合には、第１天板片７１、第２天板片７２と称する。一対の天板片（７１、７２）は、連結部７３によって、互いに向かい合うように折り畳み可能に連結される。一対の天板片（７１、７２）を連結する方法は、実施の形態に応じて適宜選択されてよい。例えば、一対の天板片（７１、７２）は、ヒンジ等によって連結部７３において回動可能に連結されてよい。
【００９０】
これによって、一対の天板片（７１、７２）が面一になるように展開したときには、図１４〜図１７に例示されるように、携帯用テーブル７は、天板７０が形成された状態（以下、「展開状態」とも称する）になる。このとき、形成された天板７０の表面は、各天板片（７１、７２）の表面（７１１、７２１）により構成される。また、天板７０の裏面は、各天板片（７１、７２）の裏面（７１２、７２２）により構成される。
【００９１】
一方、一対の天板片（７１、７２）を互いに向かい合うように折り畳んだときには、図１９に例示されるように、携帯用テーブル７は、天板７０が２つの折れ曲がり、天板７０の裏面側に収納空間が形成された状態（以下、「折り畳み状態」とも称する）になる。具体的には、第１天板片７１は、矩形状に形成されており、各端辺には各側壁７１３〜７１６が設けられている。同様に、第２天板片７２は、矩形状に形成されており、各端辺には各側壁７２３〜７２６が形成されている。そのため、この各天板片（７１、７２）及び各側壁（７１３〜７１６、７２３〜７２６）によって、閉じた内部空間が天板７０の裏面側に形成される。
【００９２】
（支持脚）
次に、各支持脚７４について説明する。図１７に例示されるように、この天板７０の裏面には、４つの支持脚７４が設けられている。各支持脚７４は、天板７０の各角付近に設けられている。すなわち、各天板片（７１、７２）の各裏面（７１２、７２２）にそれぞれ一対の支持脚７４が設けられている。ただし、第１天板片７１には後述するスリット７６が設けられるため、第１天板片７１では、各支持脚７４はやや中央寄り（スリット７６付近）に配置されている。
【００９３】
図１７及び図１９に例示されるように、各支持脚７４は、各連結部７５によって、天板７０を折り畳み状態にしたときに各天板片（７１、７２）の裏面（７１２、７２２）側に収納されるように、天板７０の裏面に折り畳み可能に連結されている。各支持脚７４を天板７０に連結する方法は実施の形態に応じて適宜選択されてよい。例えば、各支持脚７４は、ヒンジ等によって連結部７５において回動可能に連結されてよい。
【００９４】
これによって、図１４及び図１５に例示されるように、各支持脚７４を展開したときには、各支持脚７４は、天板７０から下方向に延び、天板７０を支持することができる。一方、図１７及び図１９に例示されるように、各支持脚７４を天板７０の裏面に当接するまで折り畳んだときには、各支持脚７４は、折り畳み状態の際に形成される収納空間に収納することができる。
【００９５】
ここで、図１８を用いて、本実施形態に係る各支持脚７４の構成を詳細に説明する。本実施形態では、各支持脚７４は、天板７０の裏面に連結される上脚部７４１、及び、上脚部７４１の下端に連結部７４３を介して連結される下脚部７４２によって構成される。上脚部７４１及び下脚部７４２は共にコの字型に形成されている。また、上脚部７４１の内周面に下脚部７４２の外周面が当接可能なように、下脚部７４２は上脚部７４１よりもやや小形に形成されている。
【００９６】
そして、上脚部７４１及び下脚部７４２は、連結部７４３によって回動可能に連結されている。上脚部７４１及び下脚部７４２を連結する方法は、実施形態に応じて適宜選択されてよい。上記各連結と同様に、上脚部７４１及び下脚部７４２は、例えば、ヒンジ等によって連結部７４３において回動可能に連結されてよい。これによって、各支持脚７４は、下脚部７４２が上脚部７４１の内側に収納された状態と、下脚部７４２が上脚部７４１の下端から下方に延びた状態と、をとることができる。すなわち、各支持脚７４は、２段階の長さに調節することができる。
【００９７】
（スリット）
次に、各スリット７６について説明する。図１６に例示されるように、天板７０の表面（第１天板片７１の表面７１１）には、複数のスリット７６が設けられている。各スリット７６は、面直方向に貫通しており、上記五徳ユニット１の各風防板２の脚部２４１を挿入可能に構成されている。また、各スリット７６は、組み立てた状態の各風防板２の脚部２４１を受け入れられるように配置されている。
【００９８】
図１６の例では、第１天板片７１の表面７１１には、円形状の挿入孔７７の周囲に、６つのスリット７６によって、三角状の受入溝が形成されている。また、三角状の受入溝の外方には、８つのスリット７６によって、矩形状の受入溝が形成されている。そのため、三角状の受入溝には、３枚の風防板２で構成した五徳ユニット１の各脚部２４１を挿入することができる。また、矩形状の受入溝には、４枚の風防板２で構成した五徳ユニット１の各脚部２４１を挿入することができる。したがって、各スリット７６によれば、組み立てた状態の五徳ユニット１を天板７０上に連結することができる。
【００９９】
（その他）
なお、天板７０の表面には、アルコールストーブを挿入可能な挿入孔７７が設けられており、この挿入孔７７の周囲には挿入孔７７より小径の複数の貫通孔７８が配置されている。この挿入孔７７は、上記中板６の挿入孔６６と同様に構成される。すなわち、本実施形態では、アルコールストーブを天板７０に直接取り付けることができる。このとき、各貫通孔７８は、空気の吸気口となる。
【０１００】
また、本実施形態では、天板７０の長手方向に沿う側壁である第１天板片７１の側壁７１３及び第２天板片７２の側壁７２３には、連結部７３を挟むように、矩形状の挿入孔（７１７、７２７）が設けられている。同様に、第１天板片７１の側壁７１５及び第２天板片７２の側壁７２５には、連結部７３を挟むように、矩形状の挿入孔（７１８、７２８）が設けられている。
【０１０１】
このような携帯用テーブル７は、上記風防板２等と同様に、耐火性の材料で作成される。例えば、携帯用テーブル７の材料には、アルミ板、ステンレス板等の金属板が利用されてよい。また、例えば、携帯用テーブル７の材料には、耐熱性非金属の素材が用いられてもよい。そして、金属板等に公知の機械加工を施すことで、上記の携帯用テーブル７を作製することができる。
【０１０２】
＜使用方法＞
次に、図２０を更に用いて、携帯用テーブル７の使用方法について説明する。図２０は、４枚の風防板２で組み立てた五徳ユニット１を携帯用テーブル７に取り付けた状態を模式的に例示する斜視図である。携帯用テーブル７を使用する際には、各天板片（７１、７２）を展開して、天板７０を展開状態にする。また、天板７０の裏面に設けられた各支持脚７４を展開する。このとき、各支持脚７４の下脚部７４２は展開してもよいし、展開しなくてもよい。これによって、図１４及び図１５に例示されるように、携帯用テーブル７を拡げることができる。
【０１０３】
また、本実施形態では、この状態で、更に、複数枚の風防板２で組み立てた五徳ユニット１の各脚部２４１を携帯用テーブル７の対応する各スリット７６に挿入することができる。これによって、図２０に例示されるように、五徳ユニット１を携帯用テーブル７に連結することができる。
【０１０４】
なお、この状態では、携帯用テーブル７では、五徳ユニット１を載置した部分に力がかかりやすくなる。すなわち、第１天板片７１に五徳ユニット１を連結する領域を設けることにより、天板７０に作用する力に偏りが生じてしまう。これによって、携帯用テーブル７のバランスは崩れ、使用中に携帯用テーブル７が傾きやすくなってしまう。
【０１０５】
これに対して、本実施形態では、第１天板片７１に設けられる一対の支持脚７４は、五徳ユニット１から作用する力を支えやすくすべく、この各スリット７６の近接するように、各角から中央寄りにずらして配置されている。これによって、携帯用テーブル７に作用する力のバランスを保ちやすくし、使用中に携帯用テーブル７が傾くのを低減することができる。
【０１０６】
一方、携帯用テーブル７を使用しない場合には、図１７に例示されるように、各支持脚７４を天板７０の裏面に接するまで折り畳む。下脚部７４２を展開していた場合には、下脚部７４２を上脚部７４１の内側に収納した上で、各支持脚７４を折り畳む。そして、天板７０を連結部７３に沿って２つに折り畳むことで、天板７０を折り畳み状態にする。これによって、図１９に例示されるように、天板７０の裏面側に形成された収納空間に各支持脚７４は収納され、携帯用テーブル７は持ち運びやすいコンパクトな状態になる。
【０１０７】
＜特徴＞
上記のように、五徳ユニット１と共にテーブルシステムを構成する携帯用テーブル７は、折り畳むことができ、また、各支持脚７４は折り畳んだ天板７０内に収納することができる。そのため、本実施形態に係るテーブルシステムは携帯性に優れている。各風防板２等の五徳ユニット１の各構成要素を折り畳み状態の天板７０内に収納可能にすることで、本実施形態に係るテーブルシステムの携帯性を更に向上させることができる。
【０１０８】
また、本実施形態では、携帯用テーブル７の天板７０に各風防板２の脚部２４１を挿入可能な複数のスリット７６が設けられており、携帯用テーブル７の天板７０に五徳ユニット１を連結することができる。すなわち、携帯用テーブル７の天板７０に五徳ユニット１を固定することができるため、携帯用テーブル７を、火を取り扱う際の作業台、調理台等として利用することもできる。したがって、本実施形態によれば、携帯性に優れ、かつ、様々な用途に利用可能な使い勝手のよいテーブルシステムを提供することができる。
【０１０９】
＜天板延長板＞
次に、図２１及び図２２を用いて、上記携帯用テーブル７に取り付け可能な天板延長板８について説明する。図２１は、本実施形態に係る天板延長板８を模式的に例示する正面図である。また、図２２は、本実施形態に係る天板延長板８を模式的に例示する側面図である。
【０１１０】
図２１及び図２２に例示されるように、本実施形態に係る天板延長板８は、矩形状に形成されており、携帯用テーブル７に取り付けた際に天板７０の表面と同じ方向を向く表面８１と、天板７０の裏面と同じ方向を向く裏面８２と、を有している。そして、この天板延長板８の長手方向に沿う一端辺８３には、互いに離間する一対の挿入片（８３１、８３２）が設けられている。図２２に例示されるように、各挿入片（８３１、８３２）は矩形状に形成されており、各挿入片（８３１、８３２）の先端部分は上方に傾斜している。
【０１１１】
＜使用方法＞
次に、図２３を用いて、天板延長板８の使用方法について説明する。図２３は、本実施形態に係る携帯用テーブル７に２枚の天板延長板８を取り付けた状態を模式的に例示する斜視図である。上記のとおり、本実施形態に係る携帯用テーブル７は、長手方向に沿う両側壁にそれぞれ設けられた一対の挿入孔（７１７、７２７）の組又は一対の挿入孔（７１８、７２８）の組に挿入することができる。天板延長板８を側壁（７１３、７２３）側に取り付ける場合には、挿入片８３１を挿入孔７２７に挿入し、挿入片８３２を挿入孔７１７に挿入する。また、天板延長板８を側壁（７１５、７２５）側に取り付ける場合には、挿入片８３１を挿入孔７１８に挿入し、挿入片８３２を挿入孔７２８に挿入する。これにより、天板延長板８を携帯用テーブル７に取り付けることができる。２枚の天板延長板８が用意される場合には、図２３に例示されるように、携帯用テーブル７の長手方向に沿う両側壁に各天板延長板８を取り付けることができる。
【０１１２】
＜特徴＞
上記のように、本実施形態に係る天板延長板８によれば、携帯用テーブル７の天板７０の広さを拡げることができる。また、各挿入片（８３１、８３２）の先端部分は上方に傾斜しているため、天板延長板８を天板７０に取り付けた後、この各挿入片（８３１、８３２）の先端部分は、天板７０の各側壁の裏面側に係止する。そのため、本実施形態によれば、天板延長板８が天板７０から自然に外れてしまうのを防止することができる。
【０１１３】
更に、本実施形態では、天板延長板８の各挿入片（８３１、８３２）を挿入する挿入孔（７１７、７２７）の組及び挿入孔（７１８、７２８）の組はそれぞれ、各天板片（７１、７２）を連結する連結部７３を挟むように配置されている。そのため、図２３に例示されるように、天板延長板８を天板７０に取り付けた場合、天板延長板８は、いずれか一方の天板片（７１、７２）に連結されるのではなく両天板片（７１、７２）に連結される。したがって、本実施形態によれば、天板延長板８を天板７０に取り付けることで、天板７０の展開状態をこの天板延長板８により固定することができる。そのため、本実施形態によれば、携帯用テーブル７が自然と折り畳まれるのを防止することができ、携帯用テーブル７の安定性を高めることができる。
【０１１４】
§３  変形例
以上、本考案の実施の形態を詳細に説明してきたが、前述までの説明はあらゆる点において本考案の例示に過ぎない。本考案の範囲を逸脱することなく種々の改良や変形を行うことができることは言うまでもない。上記五徳ユニット１及び携帯用テーブル７の各構成要素に関して、実施の形態に応じて、適宜、構成要素の省略、置換及び追加が行われてもよい。また、上記五徳ユニット１及び携帯用テーブル７の各構成要素の形状及び大きさも、実施の形態に応じて適宜決定されてもよい。
【０１１５】
＜風防板＞
例えば、上記風防板２の載置部２３１は、裏面２２側に傾斜していてもよいし、傾斜していなくてもよい。また、載置部２３１は、上端部２３全域に形成されてもよい。また、載置部２３１に形成される貫通孔２３２の数、大きさ及び形状は、実施の形態に応じて適宜選択されてもよい。この貫通孔２３２は、省略されてもよい。更に、脚部２４１は、下端部２４全域に形成されてもよい。
【０１１６】
また、例えば、上記実施形態では、風防板２の右端部２５に差込片２５１が設けられ、左端部２６付近に差込孔２６１及び係止溝２６２が設けられている。しかしながら、この関係は反対であってもよい。すなわち、左端部２６に差込片２５１が設けられ、右端部２５付近に差込孔２６１及び係止溝２６２が設けられてよい。
【０１１７】
また、例えば、上記実施形態では、係止溝２６２は、面直方向に貫通している。すなわち、係止溝２６２は、表面２１側及び裏面２２側共に開口している。しかしながら、係止溝２６２は、このような例に限定されなくてもよく、いずれか一方には開口していなくてもよい。例えば、専ら、差込片２５１を裏面２２側から差込孔２６１に挿入して五徳ユニット１を組み立てる場合、差込片２５１を差込孔２６１に挿入した後は、差込片２５１の突起部２５２は表面２１側に配置される。そのため、この場合には、係止溝２６２は、裏面２２側には開口していなくてもよい。
【０１１８】
また、例えば、上記実施形態では、係止溝２６２は、差込孔２６１と上下方向に整列している。しかしながら、この係止溝２６２は、差込片２５１の突起部２５２に対応するように形成される。そのため、差込片２５１に対する突起部２５２の位置に応じて、係止溝２６２は、差込孔２６１と上下方向に整列していなくてもよい。
【０１１９】
また、例えば、上記実施形態では、風防板２の中央付近にスリット２７が設けられている。このスリット２７は、省略されてもよい。また、上記実施形態では、このスリット２７は、面直方向に貫通している。しかしながら、このスリット２７は、組み立てた状態の五徳ユニット１の内部空間側に開口していればよく、面直方向に貫通していなくてもよい。例えば、上記実施形態では、上記使用方法の操作では、五徳ユニット１の内部空間は、風防板２の裏面２２側に形成される。そのため、この場合には、スリット２７は、裏面２２側に開口していればよく、表面２１側には開口していなくてもよい。
【０１２０】
また、例えば、上記実施形態では、各風防板２には、１つのスリット２７が設けられる。しかしながら、各風防板２に設けられるスリット２７の数は、このような例に限定されなくてもよく、複数であってもよい。なお、各風防板２に複数のスリット２７が設けられる場合、各スリット２７の位置は上下方向に相違しているのが好ましい。これによって、五徳ユニット１の内部空間にアルコールストーブ等の器具を取り付ける高さを変更することができるようになる。
【０１２１】
＜風防延長板＞
また、例えば、上記実施形態では、第１取付片３４１は表面３１側に起き上がっており、第２取付片３４２は裏面３２側に起き上がっている。しかしながら、両取付片（３４１、３４２）の関係は、このような例に限定されなくてもよく、第１取付片３４１が裏面３２側に起き上がり、第２取付片３４２が表面３１側に起き上がってもよい。また、各取付片（３４１、３４２）の形状は、実施の形態に応じて適宜選択されてよい。
【０１２２】
＜中板＞
また、例えば、上記実施形態では、各中板４〜６には、複数の貫通孔（４４、５５、６５）がそれぞれ設けられている。しかしながら、中板に設けられる貫通孔の数は、このような例に限られなくてもよく、単数であってもよい。また、中板に設けられる貫通孔の大きさ、形状及び配置は、中板の用途等、実施の形態に応じて適宜設定されてよい。更に、各突起部の形状は、矩形状に限られなくてもよく、風防板のスリットに挿入可能であれば、実施の形態に応じて適宜設定されてよい。
【０１２３】
＜携帯用テーブル＞
また、例えば、上記実施形態では、各支持脚７４は、２段階に高さを調整可能に構成されている。しかしながら、各支持脚７４は、このように高さを調整可能に構成されていなくてもよい。また、各支持脚７４は、上記実施形態と同様の方法により、３段階以上に高さを調整可能に構成されてもよい。
【０１２４】
また、例えば、上記実施形態では、各スリット７６は、第１天板片７１にのみ設けられている。しかしながら、各スリット７６の配置は、このような例に限定されなくてもよい。例えば、各スリット７６は、第２天板片７２に設けられてもよいし、第１天板片７１及び第２天板片７２にまたがって設けられてもよい。
【０１２５】
また、例えば、上記実施形態では、天板延長板８を取り付け可能にするため、各天板片（７１、７２）の各側壁（７１３、７２３、７１５，７２５）には、挿入孔（７１７、７２７、７１８、７２８）が設けられている。しかしながら、天板延長板８を取り付けるための挿入孔は、これ以外の場所に配置されてもよい。また、天板延長板８を用意しない場合には、各挿入孔（７１７、７２７、７１８、７２８）は省略されてもよい。
【０１２６】
また、例えば、上記実施形態では、天板７０に、挿入孔７７と貫通孔７８とが設けられている。しかしながら、この挿入孔７７及び貫通孔７８は省略されてもよい。
【０１２７】
＜天板延長板＞
また、上記実施形態では、各挿入片（８３１、８３２）の先端部分を上方に傾斜させることで、天板延長板８が天板７０から外れにくいようにしている。しかしながら、このような例に限られなくてもよく、天板延長板８は、天板７０に適宜連結可能に構成されてよい。
【符号の説明】
【０１２８】
１…五徳ユニット、
２…風防板、
２１…表面、２２…裏面、
２３…上端部、２３１…載置部、２３２…貫通孔、
２４…下端部、２４１…脚部、
２５…右端部、２５１…差込片、２５２…突起部、２５３…溝、
２６…左端部、２６１…差込孔、２６２…係止溝、２６３…貫通孔、
２７…スリット、
３…風防延長板、
３１…表面、３２…裏面、
３３…上端部、３３１…載置部、
３４…下端部、３４１…第１取付片、３４２…第２取付片、
３５…右端部、３５１…差込片、３５２…突起部、３５３…溝、
３６…左端部、３６１…差込孔、３６２…係止溝、３６３…貫通孔、
３７…換気口、
４…中板、４１〜４３…端辺、４１１・４２１・４３１…突起部、４４…貫通孔、
５…中板、５１〜５４…端辺、５１１・５２１・５３１・５４１…突起部、
５５…貫通孔、
６…中板、６１〜６４…端辺、６１１・６２１・６３１・６４１…突起部、
６５…貫通孔、６６…挿入孔、
７…携帯用テーブル、
７０…天板、
７１…第１天板片、
７１１…表面、７１２…裏面、７１３〜７１６…側壁、７１７・７１８…挿入孔、
７２…第２天板片、
７２１…表面、７２２…裏面、７２３〜７２６…側壁、７２７・７２８…挿入孔、
７３…連結部、
７４…支持脚、７４１…上脚部、７４２…下脚部、７４３…連結部、
７５…連結部、
７６…スリット、７７…挿入孔、７８…貫通孔、
８…天板延長板、８１…表面、８２…裏面、
８３…端辺、８３１・８３２…挿入片、
９…アルコールストーブ
【図１】
0003200436.tif 000003
【図２】
0003200436.tif 000004
【図３】
0003200436.tif 000005
【図４】
0003200436.tif 000006
【図５】
0003200436.tif 000007
【図６】
0003200436.tif 000008
【図７】
0003200436.tif 000009
【図８】
0003200436.tif 000010
【図９】
0003200436.tif 000011
【図１０】
0003200436.tif 000012
【図１１】
0003200436.tif 000013
【図１２】
0003200436.tif 000014
【図１３】
0003200436.tif 000015
【図１４】
0003200436.tif 000016
【図１５】
0003200436.tif 000017
【図１６】
0003200436.tif 000018
【図１７】
0003200436.tif 000019
【図１８】
0003200436.tif 000020
【図１９】
0003200436.tif 000021
【図２０】
0003200436.tif 000022
【図２１】
0003200436.tif 000023
【図２２】
0003200436.tif 000024
【図２３】
0003200436.tif 000025